(57)【要約】【課題】半導体式火災感知器において別途のモジュール結合によって火災警報を早期に知らせることができる付加機能を付け加え、既存の火災感知システム全体を交替せず、老巧化した火災感知器のみ１：１で交替して使用可能な付加機能拡張型火災感知器を提供する。【解決手段】本体と、前記本体に取り付けられ、火災を直接感知して外部に光信号を出力する非接触式出力回路部と、前記本体に結合され、非接触式出力回路部の光信号を感知して火災を知らせる独立モジュールとを含んでなる。【選択図】図１
2019192205.tif 000002
【特許請求の範囲】
【請求項１】
本体（１００）と、
前記本体（１００）に取り付けられ、火災を直接感知して外部に光信号を出力する非接触式出力回路部（２００）と、
前記本体（１００）に結合され、非接触式出力回路部（２００）の光信号を感知して火災を知らせる独立モジュール（３００）と、を含んでなり、
前記非接触式出力回路部（２００）は、
電力が供給される電力入力部（２１０）と、
前記電力入力部（２１０）の電力で火災現象を感知するセンサー部（２２０）と、
前記電力入力部（２１０）の入力電力及びセンサー部（２２０）の故障を監視する作動監視部（２３０）と、
前記センサー部（２２０）の測定値で火災有無を判断する火災判別部（２４０）と、
前記センサー部（２２０）の測定値で予備火災を判断する予備火災判別部（２５０）と、
前記火災判別部（２４０）の火災信号によって入力電力を短絡させて火災警報を発生するスイッチング部（２６０）と、
前記作動監視部（２３０）の信号によって外部に光信号を出力する作動状態ＬＥＤ部（２７０）と、
前記スイッチング部（２６０）の動作によって外部に光信号を出力する警報発生ＬＥＤ部（２８０）と、
前記予備火災判別部（２５０）の信号によって外部に光信号を出力する予備警報ＬＥＤ部（２９０）と、を含んでなることを特徴とする、付加機能拡張型火災感知器。
【請求項２】
前記独立モジュール（３００）は、
前記作動状態ＬＥＤ部（２７０）の点灯有無を感知する作動状態受信部（３１０）と、
前記警報発生ＬＥＤ部（２８０）の点灯有無を感知する警報発生受信部（３２０）と、
前記予備警報ＬＥＤ部（２９０）の点灯有無を感知する予備警報受信部（３３０）と、
前記各受信部の感知状況を外部に実時間で提供する総合送信部（３４０）と、を含んでなることを特徴とする、請求項１に記載の付加機能拡張型火災感知器。
【請求項３】
前記独立モジュール（３００）は、本体（１００）に結合したとき、各受信部と対応する機能を有するＬＥＤ部が互いに見合う位置に配置されることを特徴とする、請求項２に記載の付加機能拡張型火災感知器。
【請求項４】
前記総合送信部（３４０）は、外部に警告音、音声、サイレンで直接的なお知らせを提供する警告出力部（３４１）を含むことを特徴とする、請求項２に記載の付加機能拡張型火災感知器。
【請求項５】
前記総合送信部（３４０）は、有線／無線通信を介して遠隔地の端末機にお知らせを伝送する遠隔通信部（３４２）を含むことを特徴とする、請求項２に記載の付加機能拡張型火災感知器。
【請求項６】
前記遠隔通信部（３４２）は、遠隔地の端末機とＲＦ無線通信、ワイファイ（Ｗｉ−ｆｉ）（登録商標）、ブルートゥース（登録商標）（Ｂｌｕｅｔｏｏｔｈ（登録商標））、ジグビー（Ｚｉｇｂｅｅ）（登録商標）、又はロラ（ＬｏＲａ）を介して無線通信することを特徴とする、請求項５に記載の付加機能拡張型火災感知器。
【発明の詳細な説明】
【技術分野】
【０００１】
本発明は付加機能拡張型火災感知器に関し、より詳しくは半導体式火災感知器において別途のモジュール結合によって火災警報を早期に知らせることができるようにした付加機能を付け加え、既存の火災感知システム全体を交替せず、老巧化した火災感知器のみ１：１で交替して使用可能な付加機能拡張型火災感知器に関する。
【背景技術】
【０００２】
従来の火災感知器（又は火災警報機）は、火災発生による温度上昇及び煙濃度によって火災を感知し、建物内の人々に音又は光で知らせて速かに待避することができるようにする装置である。
【０００３】
このような火災感知器の火災判断のための条件は、消防法に規定されているように、７０度以上の温度又は３０％以上の煙濃度となるときにだけ火災警報を発生することになる。しかし、実際の火災発生時には、火災が発生する初期にこれを認知して対処することができる方法が存在しなくて火災の発生を遅く認知することによって発生する被害が増えている実情である。
【０００４】
仮に、消防法に規定された温度外に、つまりその規定温度以下の温度である４０度、４５度、５０度などの温度、煙濃度は消防法に規定された煙濃度外に、つまり規定濃度以下の煙濃度である５％、１０％、１５％、２０％などの煙を検出して予め火災予備警報を発生することができるようにすれば、火災発生初期に対処することができる時間を稼いで火災による被害を最小に減らすことができる機会及び時間を与えるが、現在では火災予備警報の機能を有する火災感知器は消防法規によって形式承認を受けることができないから、国内には適用することができない実情である。
【０００５】
このような予備警報機能だけではなく、ＩｏＴのような機能を組み合わせて、スマートフォン又は消防署状況板又は官制室などで多数の火災感知器の状態を一場所で又は一目で点検するとか管理するための手段が必要であるが、消防法と形式承認の条件に合う方法を適用することができなくてその解決方法が難しいとか不可能である。
【０００６】
また、既存の設置されている火災感知器は老朽して経年変化がひどいため、ひんぱんな誤動作及び不動作によって実際の火災発生時に被害を大きく被っていることが現状であり、その被害を減らそうと新規に制定された消防法では個人住宅又は多世帯住宅は単独型火災感知器を追加して設置しなければならないと規定している。
【０００７】
しかし、単独型火災感知器は火災時に単独で自体警報を発生する機能を有するもので、仮に火災感知器のひんぱんな誤動作のため警報システムで警報音発生装置を無音にしておいた場合、人口が多い条件では他の隣人に伝達する手段が足りない。また、無線式単独火災警報機を新規に制定したが、既存に設置されている火災感知設備と連動しなく、個別的に設置しなければならないため、既存の火災感知設備を無視して二重に投資しなければならない問題点が存在する。
【０００８】
これに関連した先行技術として、韓国登録特許第１０−１７３９５４３号公報（建築物の多目的消防用火災警報機）には、建築物の火災保護区間内に設置され、所定の制御信号によって前記火災保護区間内の火災発生を警報し、防煙設備、スプリングクーラー設備、付帯設備及び前記建築物に設置された警報設備を動作させる消防用設備部；前記火災保護区間内の火災発生有無を１次に判断することができる１次感知データを提供する主要感知モジュールと、前記１次感知データの他に火災発生有無を２次に判断することができる２次感知データを提供する補助感知モジュールと、火災発生有無の判断に直接関連しないその他の感知データを提供するその他の感知モジュールとを備え、感知された前記１次感知データ、前記２次感知データ及び前記その他の感知データを外部に伝送する多目的消防用火災感知部；及び前記１次感知データ及び前記２次感知データを受信し分析して火災保護区間内の火災有無を判断し、判断結果、前記火災保護区間内に火災が発生した場合、一定の形態の火災処理パケットを伝送して火災警報を知らせ、さらに前記その他の感知データを分析した結果、火災以外の緊急状況が発生した場合に緊急状況警報をそれぞれ知らせる多目的消防火災制御部を含む技術が開示されている。
【０００９】
前記先行技術は、火災感知器に備えられた機能を遂行するためのシステムを新しく作らなければならないため、設備コストが増加する問題点があり、単に火災感知の正確度を高めるためのものであるため、火災発生を早期に認識して予備火災警報を発生することができない問題点がある。
【先行技術文献】
【特許文献】
【００１０】
【特許文献１】韓国登録特許第１０−１７３９５４３号公報
【発明の概要】
【発明が解決しようとする課題】
【００１１】
本発明は前記のような問題点を解決するために案出されたもので、消防法規に従って正式で形式承認を受けた半導体式火災感知器を用い、既存の設置された火災感知器を１：１で交替設置して使うことができるとともに規定された消防法の範疇を逸脱することなしに付加機能を易しく追加することができる火災感知器を提供することに目的がある。
【課題を解決するための手段】
【００１２】
本発明は、本体と、前記本体に取り付けられ、火災を直接感知して外部に光信号を出力する非接触式出力回路部と、前記本体に結合され、非接触式出力回路部の光信号を感知して火災を知らせる独立モジュールとを含んでなることを特徴とする。
【００１３】
前記非接触式出力回路部は、電力が供給される電力入力部と、前記電力入力部の電力で火災現象を感知するセンサー部と、前記電力入力部の入力電力及びセンサー部の故障を監視する作動監視部と、前記センサー部の測定値で火災有無を判断する火災判別部と、前記センサー部の測定値で予備火災を判断する予備火災判別部と、前記火災判別部の火災信号によって入力電力を短絡させて火災警報を発生するスイッチング部と、前記作動監視部の信号によって外部に光信号を出力する作動状態ＬＥＤ部と、前記スイッチング部の動作によって外部に光信号を出力する警報発生ＬＥＤ部と、前記予備火災判別部の信号によって外部に光信号を出力する予備警報ＬＥＤ部とを含んでなることができる。
【００１４】
また、前記独立モジュールは、前記作動状態ＬＥＤ部の点灯有無を感知する作動状態受信部と、前記警報発生ＬＥＤ部の点灯有無を感知する警報発生受信部と、前記予備警報ＬＥＤ部の点灯有無を感知する予備警報受信部と、前記各受信部の感知状況を外部に実時間で提供する総合送信部とを含んでなることができる。
【００１５】
また、前記独立モジュールは、本体に結合したとき、各受信部と対応する機能を有するＬＥＤ部が互いに見合う位置に配置されることができる。
【００１６】
また、前記総合送信部は、外部に警告音、音声、サイレンで直接的なお知らせを提供する警告出力部を含むことができる。
【００１７】
前記総合送信部は、有線／無線通信を介して遠隔地の端末機にお知らせを伝送する遠隔通信部を含むことができる。
【発明の効果】
【００１８】
本発明は消防法によって既存に形式承認できなかった予備警報機能を非接触式出力回路部及び着脱可能な独立モジュールを介して付け加えることにより、火災待避が遅延することによって発生し得る事故を最小化することができる効果がある。
【００１９】
また、本発明は、既存の火災感知システム全体を交替せず、老巧化した火災感知器のみ１：１で交替して使用することができるように構成することによって設備コストを節減する効果がある。
【００２０】
また、本発明の非接触式出力回路部及び着脱可能な独立モジュールのアップグレードによって多様な付加機能を簡便に付け加えることができ、付加機能にＩｏＴ技術を適用して多数の火災感知器を総合的で簡便に点検及び確認することができるようにして進歩した火災感知システムを構築することができる利点がある。
【図面の簡単な説明】
【００２１】
【図１】本発明の付加機能拡張型火災感知器を示した斜視図である。
【図２】本発明の本体と独立モジュールを示した分解斜視図である。
【図３】本発明の本体底面部に備えられた非接触式出力回路部の光信号出力構成を示した斜視図である。
【図４】本発明の非接触式出力回路部及び独立モジュールを成す各構成を示した図である。
【図５】本発明による総合送信部の構成を示した図である。
【発明を実施するための形態】
【００２２】
以下、本発明の好適な実施例を添付図面に基づいて詳細に説明する。本発明の説明において、関連した公知の機能又は構成についての具体的な説明が本発明の要旨を不必要にあいまいにすることができると判断される場合、その詳細な説明を省略する。
【００２３】
本発明の付加機能拡張型火災感知器は半導体式火災感知器であり、その構成は、図１〜図３に示すように、本体１００と、前記本体１００に取り付けられ、火災を直接感知して外部に光信号を出力する非接触式出力回路部２００と、前記本体１００に結合され、非接触式出力回路部２００の光信号を感知して火災を知らせる独立モジュール３００とからなることを特徴とする。
【００２４】
前記本体１００は火災感知器の外観を成す構成であり、本体１００の形状は多様に形成されることができるが、本発明では、独立モジュール３００の分離結合が容易になるように、一側に独立モジュール３００が挿着できる部分が形成されることが好ましい。
【００２５】
本発明の非接触式出力回路部２００は、自ら測定したセンシング情報に基づいて火災警報信号を発生して即刻警報及び措置を行うようにし、火災警報及び予備警報、火災感知器の作動による異常有無を判断し、各状況別に区分されるようにしたＬＥＤ光を外部に出力するようになる。
【００２６】
このような非接触式出力回路部２００は、独立モジュール３００を結合しなくても既存の火災感知器の形態として使うことができる。よって、消防法に規定された火災温度（現在７０度と規定されている）で火災警報を発生し、付加機能に対しては自ら警報機能を遂行しないでＬＥＤ光のみ出力するので、独立モジュール３００を結合しなかった状態で消防法の規定を守って火災感知器の形式承認を受けることができるようになるものである。これだけではなく、多数の火災感知器からなった既存のシステムを毀損しないで使用可能であり、老朽した火災感知器のみを選別して一対一で交替することができる利点がある。
【００２７】
本発明の独立モジュール３００は本体１００に着脱自在な構成であり、前記非接触式出力回路部２００と電気的に連結せず、フォトセンサーのような感知構成から出力される光信号のみを感知して、火災警報確認、予備火災警報、火災感知器の異常有無判断に関連した付加機能を遂行するようになる。
【００２８】
以下では添付図面に基づいて本発明の非接触式出力回路部２００及び独立モジュール３００の構成をより詳細に説明する。
【００２９】
本発明の非接触式出力回路部２００は、図４に示すように、電力が供給される電力入力部２１０と、前記電力入力部２１０の電力で火災現象を感知するセンサー部２２０と、前記電力入力部２１０の入力電力及びセンサー部２２０の故障を監視する作動監視部２３０と、前記センサー部２２０の測定値で火災有無を判断する火災判別部２４０と、前記センサー部２２０の測定値で予備火災を判断する予備火災判別部２５０と、前記火災判別部２４０の火災信号によって入力電力を短絡させて火災警報を発生するスイッチング部２６０と、前記作動監視部２３０の信号によって外部に光信号を出力する作動状態ＬＥＤ部２７０と、前記スイッチング部２６０の動作によって外部に光信号を出力する警報発生ＬＥＤ部２８０と、前記予備火災判別部２５０の信号によって外部に光信号を出力する予備警報ＬＥＤ部２９０とからなる。
【００３０】
前記電力入力部２１０は２４Ｖの直流電源が非接触式出力回路部２００に電力を供給する構成であり、別途の電力変換部によって前記センサー部２２０に必要な電圧に低めて供給するようになる。
【００３１】
そして、前記センサー部２２０は火災が発生するときに現れる現象を感知するものであり、温度又は煙濃度を感知することが好ましいが、火花感知、ガス感知、地震感知、放射能感知などの多様な感知が可能であるのは言うまでもない。ここで、本発明のセンサー部２２０及びこれに関連した構成の説明は、説明の便宜のために、一番普遍化した温度感知センサーを例として説明する。
【００３２】
前記作動監視部２３０は電力入力部２１０の入力電力及びセンサー部２２０の故障を監視して火災感知器が正常に作動するかを把握する構成である。すなわち、管理者によって火災感知器の電力が遮断された場合又はセンサー部２２０の故障有無を確認する。
【００３３】
前記火災判別部２４０はセンサー部２２０で測定した温度値で火災を判断し、予め設定された温度値に相当する７０℃を超える場合に火災と判断するようになるものである。前記設定温度値は消防法で規定した火災警報発生のための温度値であって、現在７０℃と規定しているから、管理者が任意に変更することができない部分である。
【００３４】
そして、前記予備火災判別部２５０もセンサー部２２０で測定した温度値で火災を判断し、予備警報のために使われるものである。予備警報は火災警報以前に発生しなければならないため、前記火災判別部２４０の設定温度値に相当する７０℃以下に設定され、好ましくは５０℃又は６０℃に設定されることができる。このように、予備火災判別部２５０は管理者によって適切な温度に設定可能である。
【００３５】
前記スイッチング部２６０は火災判別部２４０の火災信号によって入力電力を短絡させて火災警報を発生する構成である。従来の火災感知器に使われる火災警報は単に熱によって溶融する物理的な短絡によって発生するが、本発明はスイッチング部２６０の制御による短絡によって火災警報を発生するものである。
【００３６】
本発明の作動状態ＬＥＤ部２７０、警報発生ＬＥＤ部２８０及び予備警報ＬＥＤ部２９０は、図３に示すように、本体１００の外部に露出される形態に組み込まれる。
【００３７】
前記作動状態ＬＥＤ部２７０は作動監視部２３０の信号を受けて外部に光形態の光信号を出力するようになる。前記作動状態ＬＥＤは常時点灯状態にあるが、仮にセンサー部２２０の故障が発生するとか管理者によって火災感知器の電力がオフされた場合、作動状態ＬＥＤの光は消光される。
【００３８】
前記警報発生ＬＥＤ部２８０は、火災警報のためにスイッチング部２６０が動作すれば、外部に光形態の光信号を出力する。そして、前記予備警報ＬＥＤ部２９０は予備火災判別部２５０の信号によって光信号を出力するようになる。前記警報発生ＬＥＤ部２８０及び予備警報ＬＥＤ部２９０は普段消灯状態を維持していて、火災警報又は予備火災警報の際にだけＬＥＤが点灯する。
【００３９】
前記警報発生ＬＥＤ部２８０はスイッチング部２６０によって火災警報が先に発生した後に光信号を出力する構成であるが、予備警報ＬＥＤ部２９０及び作動状態ＬＥＤ部２７０は外部に知らせる光信号のみを出力する構成であって、本体１００に結合される独立モジュール３００によって光信号を受信するようになる。
【００４０】
本発明の独立モジュール３００は、図４に示すように、前記作動状態ＬＥＤ部２７０の点灯有無を感知する作動状態受信部３１０と、前記警報発生ＬＥＤ部２８０の点灯有無を感知する警報発生受信部３２０と、前記予備警報ＬＥＤ部２９０の点灯有無を感知する予備警報受信部３３０と、前記各受信部の感知状況を外部に実時間で提供する総合送信部３４０とからなる。
【００４１】
前記作動状態受信部３１０、警報発生受信部３２０及び予備警報受信部３３０は独立モジュール３００に露出された形態で組み込まれるセンサーであり、独立モジュール３００を本体１００に結合したとき、各受信部は対応機能を有する各ＬＥＤ部と一対一で見合う形態となり、各ＬＥＤ部の点灯有無を感知する。
【００４２】
本発明は、このように各受信部３１０、３２０、３３０が互いに対応する各ＬＥＤ部２７０、２８０、２９０の点灯有無のみを感知して情報を得ることができるように説明したが、光を感知する受信部の性能とＬＥＤ部の光信号を出力するプログラムを補い、複数の受信部及びＬＥＤ部の構成を単一受信部及び単一ＬＥＤ部のように単一構成に統合することで、点灯する色相又は点滅間隔によってこのような情報を区分する形態にも実施することができる。
【００４３】
前記総合送信部３４０は、外部に警告音、音声、サイレンで感知状況を直接知らせる警告出力部３４１を含むことができる。前記警告出力部３４１の警告音又は音声警告は自体のスピーカーを介して知らせることができる。
【００４４】
このような音声警告の一例として、作動状態受信部３１０の警告は“火災感知システムに異常が発生しました”又は“新しいバッテリーに入れ替えてください”からなることができ、警報発生受信部３２０の警告は“火災が感知されました。迅速に待避してください”からなることができ、予備警報受信部３３０の警告は“異常高温が感知されました。迅速に周りを点検してください”からなるなど、多様な形態に区分して知らせることができる。
【００４５】
そして、前記総合送信部３４０は、有線通信又はブルートゥース（登録商標）、ワイファイ（登録商標）、ジグビー（登録商標）、ロラ（ＬｏＲａ）のような無線通信によって遠隔地の端末機に感知状況を伝送する遠隔通信部３４２をさらに含む場合、各受信部の感知状況を管理者の端末機、消防署状況板、官制室などで受けることができ、多数の火災感知器情報を一目で把握することができるようになるものである。
【００４６】
さらに、本発明は、予備火災警報の機能を担当する構成、すなわち予備火災判別部２５０の設定値を４０℃、５０℃、６０℃のように細分化し、第１、第２及び第３予備警報ＬＥＤ部と第１、第２及び第３予備警報受信部に構成する場合、段階別予備火災警報を発生することができ、火災発生による段階的措置を取ることができる利点を有する。
【００４７】
以上で本発明を前記実施例に基づいて説明したが、本発明の技術思想範囲内で多様な変形実施が可能であるのは言うまでもない。
【符号の説明】
【００４８】
１００    本体
２００    非接触式出力回路部
２１０    電力入力部
２２０    センサー部
２３０    作動監視部
２４０    火災判別部
２５０    予備火災判別部
２６０    スイッチング部
２７０    作動状態ＬＥＤ部
２８０    警報発生ＬＥＤ部
２９０    予備警報ＬＥＤ部
３００    独立モジュール
３１０    作動状態受信部
３２０    警報発生受信部
３３０    予備警報受信部
３４０    総合送信部
【図１】
2019192205.tif 000003
【図２】
2019192205.tif 000004
【図３】
2019192205.tif 000005
【図４】
2019192205.tif 000006
【図５】
2019192205.tif 000007